(57)【要約】【課題】定型の自動販売機に前部パネルと側面パネルとを簡単に着脱して販売商品を良好に訴求することができる販売機パネルセットを提供する。【解決手段】自動販売機２００の所定の厚さの販売機前部２１０の前面と側面と上面とが前方から前部パネル１１０でカバーされてボルトナット１３０で装着され、販売機後部２２０の側面が側面パネル１２０でカバーされてボルトナット１３０で装着される。このため、自動販売機２００に前部パネル１１０と側面パネル１２０とを着脱自在に装着することができる。【選択図】図１
2012194717.tif 000002
【特許請求の範囲】
【請求項１】
所定の厚さの販売機前部が所定の厚さの販売機後部に開閉自在に支持されている自動販売機の少なくとも前面と側面とをカバーする販売機パネルセットであって、
少なくとも前記販売機前部の前面と側面と上面とを前方からカバーする前部パネルと、
前記販売機後部の側面を側方からカバーする側面パネルと、
特別な工具を必要とすることなく手作業で前記前部パネルを前記販売機前部に着脱自在に装着するとともに前記側面パネルを前記販売機後部側面に着脱自在に装着するパネル装着機構と、
を有する販売機パネルセット。
【請求項２】
前記パネル装着機構がボルトナットからなり、
前記パネル装着機構のボルトが前記前部パネルを前記販売機前部の内部のナットに着脱自在に装着するとともに前記ボルトが前記側面パネルを前記販売機後部の内部のナットに装着する請求項１に記載の販売機パネルセット。
【請求項３】
防水ワッシャを挿通した前記ボルトで前記前部パネルが前記販売機前部の内部のナットに装着されるとともに前記防水ワッシャを挿通した前記ボルトで前記側面パネルが前記販売機後部の内部のナットに装着される請求項２に記載の販売機パネルセット。
【請求項４】
前記ナットがウイングナットとローレットナットとの少なくとも一方からなる請求項２または３に記載の販売機パネルセット。
【請求項５】
前記前部パネルの上部に宣伝部材が形成されている請求項１ないし４の何れか一項に記載の販売機パネルセット。
【請求項６】
前記側面パネルの側部に宣伝部材が形成されている請求項１ないし５の何れか一項に記載の販売機パネルセット。
【請求項７】
所定の厚さの販売機前部が所定の厚さの販売機後部に開閉自在に支持されている自動販売機であって、
請求項１ないし６の何れか一項の販売機パネルセットの前記前部パネルと前記側面パネルとが前記パネル装着機構で装着されている自動販売機。
【発明の詳細な説明】
【技術分野】
【０００１】
本発明は、自動販売機に着脱自在に装着される販売機パネルセット、この販売機パネルセットが装着された自動販売機、に関する。
【背景技術】
【０００２】
現在の自動販売機に要求されているのは販売のみならず、お客様へ商品を訴求するための広告媒体としての機能がある。そのため、売上の減少に伴って自動販売機での取扱銘柄数を減少し、カラムが余る状況が発生した際には、一銘柄で複数のカラムを利用するといったことが行われているが、この空いたカラムスペースを広告スペースとして活用する等、訴求効果を向上させる検討が必要となっている。
【０００３】
そこで、現在、自動販売機のオーバーラッピングによりブランドを全面に訴求し、広告媒体として活用しているところであるが、オーバーラッピング自動販売機は、自動販売機全体をシールで包む形となっており、材料費だけでなく施工費も多くかかっているのが現状である。
【０００４】
施工に関しては、専門の業者が対応しており、気泡を入れないようにするといった、熟練を要求される作業となることから、現場営業員等による作業は非常に困難となり、高コストとなっている。
【０００５】
したがって、自動販売機のオーバーラッピング施策は、現在はごく一部の自動販売機に限られ、効果的な訴求を行うための広告媒体としての役割が少なく、通常の販売目的の自動販売機としての活用にとどまっているのが現状である。
【０００６】
そこで、例えば、自動販売機等の装飾の自由度を高めるとともに、装飾の変更、補修等を容易にする自動販売機等に用いるフロントカバーの提案がある。その技術では、自動販売機等のフロント扉に装着されるフロントカバーであって、自動販売機等のフロント扉に着脱自在に固着されるカバー本体を有しており、カバー本体は、商品展示用窓部、商品選択ボタン、コイン投入用窓部及び商品取出用窓を備えるとともに、商品広告等を表示可能な表示部を任意の箇所に備えている。
【０００７】
これにより、特に自動販売機のフロント部分を装飾性の高いインパクトのあるデザインにすることを可能にし、更に、広告の入れ替え、補修の際にはフロントカバーのみを交換することで、再塗装等を不要にし、広告の入れ替え作業、補修作業を容易にするとともに、その際のコストを抑えることを可能にした（特許文献１）。
【先行技術文献】
【特許文献】
【０００８】
【特許文献１】特開２００７−０６５７９２号公報
【発明の概要】
【発明が解決しようとする課題】
【０００９】
現在、自動販売機は広告媒体としての機能が重要となり、希少な顧客接点となっている。欧米においては、台数は少ないものの、今後は自動販売機が普及していく可能性がある。また、現在成長している開発途上国などの市場においては、今後、自動販売機が投入されることも想定され、その場合、同じく重要な顧客接点となる可能性がある。
【００１０】
しかし、自動販売機での効果的な広告訴求は、自動販売機の形状に依存しない広告媒体が一般的であり、広告を訴求した際の隙間や、貼り付け方のばらつきにより、ブランド戦略に即した広告訴求が困難となる場合がある。さらに、自動販売機における広告訴求は、手間と時間とコストを必要とし、効果的なタイミングや規模での広告訴求を行うことが困難である。
【００１１】
そこで、次世代の自動販売機においては、電子ペーパーや、液晶パネルなどのデジタルサイネージ機能を有したものが検討されているところではあるが、様々な障壁により、現在の自動販売機と同等の規模での展開は、まだ数年〜十数年先となると考えられていることに加え、当面はインドアなどの限られた場所に設置されると考えられる。
【００１２】
したがって、次世代の自動販売機が普及するまでの間は、現状の自動販売機における効果的かつ簡易に訴求可能となる訴求手段が必要となり、競争優位性を担保した広告訴求を実現することが極めて重要となる。
【００１３】
本発明は上述のような課題に鑑みてなされたものであり、定型の自動販売機に前部パネルと側面パネルとを簡単に着脱して販売商品を良好に訴求することができる販売機パネルセット、この販売機パネルセットが装着された自動販売機、を提供するものである。
【課題を解決するための手段】
【００１４】
本発明の販売機パネルセットは、所定の厚さの販売機前部が所定の厚さの販売機後部に開閉自在に支持されている自動販売機の少なくとも前面と側面とをカバーする販売機パネルセットであって、少なくとも販売機前部の前面と側面と上面とを前方からカバーする前部パネルと、販売機後部の側面を側方からカバーする側面パネルと、特別な工具を必要とすることなく手作業で前部パネルを販売機前部に着脱自在に装着するとともに側面パネルを販売機後部側面に着脱自在に装着するパネル装着機構と、を有する。
【００１５】
従って、本発明の販売機パネルセットでは、自動販売機の所定の厚さの販売機前部の前面と側面と上面とが前方から前部パネルでカバーされてパネル装着機構で装着され、販売機後部の側面が側面パネルでカバーされてパネル装着機構で装着される。このため、自動販売機に前部パネルと側面パネルとを着脱自在に装着することができ、定型の自動販売機に前部パネルと側面パネルとを簡単に着脱して販売商品を良好に訴求することができる。
【００１６】
また、上述のような販売機パネルセットにおいて、パネル装着機構がボルトナットからなり、パネル装着機構のボルトが前部パネルを販売機前部の内部のナットに着脱自在に装着するとともにボルトが側面パネルを販売機後部の内部のナットに装着してもよい。
【００１７】
また、上述のような販売機パネルセットにおいて、防水ワッシャを挿通したボルトで前部パネルが販売機前部の内部のナットに装着されるとともに防水ワッシャを挿通したボルトで側面パネルが販売機後部の内部のナットに装着されてもよい。
【００１８】
また、上述のような販売機パネルセットにおいて、ナットがウイングナットとローレットナットとの少なくとも一方からなってもよい。
【００１９】
また、上述のような販売機パネルセットにおいて、前部パネルの上部に宣伝部材が形成されていてもよい。
【００２０】
また、上述のような販売機パネルセットにおいて、側面パネルの側部に宣伝部材が形成されていてもよい。
【００２１】
本発明の自動販売機は、所定の厚さの販売機前部が所定の厚さの販売機後部に開閉自在に支持されている自動販売機であって、本発明の販売機パネルセットの前部パネルと側面パネルとがパネル装着機構で装着されている。
【００２２】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００２３】
本発明の販売機パネルセットでは、自動販売機の所定の厚さの販売機前部の前面と側面と上面とが前方から前部パネルでカバーされてパネル装着機構で装着され、販売機後部の側面が側面パネルでカバーされてパネル装着機構で装着される。このため、自動販売機に前部パネルと側面パネルとを着脱自在に装着することができ、定型の自動販売機に前部パネルと側面パネルとを簡単に着脱して販売商品を良好に訴求することができる。従って、自動販売機での商品訴求効果を簡単かつ迅速に向上させることができる。
【図面の簡単な説明】
【００２４】
【図１】本発明の実施の形態の販売機パネルセットと自動販売機とを示す模式的な分解斜視図である。
【図２】販売機パネルセットが装着された自動販売機の外観を示す斜視図である。
【図３】自動販売機の外観を示す正面図である。
【図４】販売機パネルセットと自動販売機とを示す模式的な分解斜視図である。
【図５】一変形例の販売機パネルセットと自動販売機とを示す模式的な分解斜視図である。
【発明を実施するための形態】
【００２５】
本発明の実施の一形態を図面を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００２６】
本実施の形態の販売機パネルセット１００は、所定の厚さの販売機前部２１０が所定の厚さの販売機後部２２０に開閉自在に支持されている自動販売機２００の少なくとも前面と側面とをカバーする。
【００２７】
このような本実施の形態の販売機パネルセット１００は、図１ないし図４に示すように、少なくとも販売機前部２１０の前面と側面と上面とを前方からカバーする異形の前部パネル１１０と、販売機後部２２０の側面を側方からカバーする側面パネル１２０と、特別な工具を必要とすることなく手作業で前部パネル１１０を販売機前部２１０に着脱自在に装着するとともに側面パネル１２０を販売機後部２２０に着脱自在に装着するパネル装着機構であるボルトナット１３０と、を有する。
【００２８】
より詳細には、図１に示すように、自動販売機２００の販売機前部２１０と販売機後部２２０とは、各々所定の厚さのボックス状に形成されており、側部のヒンジ機構(図示せず)により開閉自在に形成されている。
【００２９】
販売機後部２２０には、例えば、販売商品であるたばこ商品などが収容されており、販売機前部２１０には、後述するコイン投入部２１３や販売商品の搬出機構などの各種メカニズムが内蔵されている(図示せず)。
【００３０】
販売機パネルセット１００の前部パネル１１０は、販売機前部２１０の前面と側面と上面とをカバーする立体形状に形成されており、特に、上部は販売機後部２２０の上面までカバーする前後長に形成されている。このような前部パネル１１０は、例えば、樹脂製の成型品などで形成されている。
【００３１】
自動販売機２００は、前面の上半部にたばこ商品などの複数の商品見本２１１が配列されており、これら複数の商品見本２１１ごとに商品選択ボタン２１２が配列されている。
【００３２】
その下方には、コインが投入されるコイン投入部２１３、紙幣が投入される紙幣投入部２１４、釣銭が排出される釣銭排出部２１５、認証カードを認証するカード認証ユニット２１６、たばこ商品などの販売商品を排出する商品排出部２１７、等が形成されている。
【００３３】
そこで、前部パネル１１０には、図１および図２に示すように、上述の複数の商品見本２１１が配列されている部分や、コイン投入部２１３〜商品排出部２１７の部分の各々の位置に、開口孔１１１が形成されている。また、この開口孔１１１が形成されていない前部パネル１１０の前面には、販売商品を訴求する宣伝などの図柄１１３が要所に形成されている。
【００３４】
さらに、販売機前部２１０と前部パネル１１０との前面四隅には貫通孔２１８，１１２が各々形成されている。この皿ビス１３１は防水ワッシャ１３３を介して前部パネル１１０と販売機前部２１０との貫通孔１１２，２１８に前方から挿通され、販売機前部２１０の内部のウイングナット１３２に工具を使用することなく手作業により締結される。
【００３５】
同様に、販売機後部２２０と側面パネル１２０との側面四隅にも貫通孔２２１，１２１が形成されており、側面パネル１２０は販売機後部２２０にボルトナット１３０で側方から工具を使用することなく手作業により締結される。側面パネル１２０には、販売商品を訴求する宣伝などの図柄１２２が形成されている。
【００３６】
また、本実施の形態の販売機パネルセット１００では、前部パネル１１０の上部にボックス状の宣伝部材１４０が形成されており、この宣伝部材１４０の前面や側面にも販売商品を訴求する宣伝などの図柄１４１が形成されている。
【００３７】
上述のような構成において、本実施の形態の自動販売機２００は、販売機前部２１０に販売機パネルセット１００の前部パネル１１０がボルトナット１３０で装着され、販売機後部２２０の左右側面に側面パネル１２０がボルトナット１３０で装着される。
【００３８】
このように自動販売機２００の全体をカバーする販売機パネルセット１００に販売商品を訴求する図柄１１３，１４１，１２２が形成されているので、自動販売機２００による販売商品であるたばこ商品(図示せず)などを効果的に訴求することができる。
【００３９】
しかし、販売機パネルセット１００は、定型の自動販売機２００に簡単に着脱できるので、図２に示すように、多数の自動販売機２００に販売機パネルセット１００を装着することにより、たばこ商品などの販売商品を効果的に簡単かつ迅速に訴求することができる。
【００４０】
特に、前部パネル１１０の上部には専用の宣伝部材１４０が形成されており、そこに販売商品を訴求する図柄１４１が形成されているので、販売商品を良好に訴求することができる。
【００４１】
さらに、販売機パネルセット１００の前部パネル１１０と側面パネル１２０は、ウイングナット１３２により特別な工具を必要とすることなく自動販売機２００に手作業で装着されるので、その着脱を簡単かつ迅速に実行することができる。このため、訴求するたばこ商品などの販売商品が変更となった場合でも、その販売商品を訴求する販売機パネルセット１００を簡単に交換することができる。
【００４２】
上述のように販売機パネルセット１００の着脱は手作業で実行できるが、販売機パネルセット１００の表面には皿ビス１３１の表面しか露出しないので、常に工具を携帯しない一般ユーザにより販売機パネルセット１００が自動販売機２００から取り外されるようなことがない。
【００４３】
なお、本発明は本実施の形態に限定されるものではなく、その要旨を逸脱しない範囲で各種の変形を許容する。例えば、上記形態では前部パネル１１０の上面に専用の宣伝部材１４０が形成されていることを例示した。しかし、このような宣伝部材が側面パネルの側面に形成されていてもよい(図示せず)。
【００４４】
また、特別な工具を必要とすることなく前部パネル１１０などを装着できるボルトナット１３０としてウイングナット１３２を例示したが、これがローレットナットからなってもよい(図示せず)。
【００４５】
同様に、ボルトとして皿ビス１３１を例示したが、これが爪付きビス(図示せず)からなってもよい。また、ボルトが六角ボルトからなり、販売機パネルセットの開口孔が六角形に形成されていてもよい。この場合、防水ワッシャはボルト頭部に内接する円形より小さい円形か、同等以下の六角形に形成されていればよい(図示せず)。
【００４６】
さらに、上記形態では前部パネル１１０と販売機前部２１０との前面四隅に貫通孔１１２，２１８が形成されており、ボルトナット１３０が前部パネル１１０と販売機前部２１０とを前後方向から装着することを例示した。
【００４７】
しかし、図５に示すように、前部パネル１１０と販売機前部２１０との側面四隅に貫通孔１１２，２１８が形成されており、ボルトナット１３０が前部パネル１１０と販売機前部２１０とを左右方向から装着してもよい。
【００４８】
また、上記形態では特別な工具を必要とすることなく前部パネル１１０などを装着できるパネル装着機構としてボルトナット１３０を例示したが、これが自動販売機２００の表面に装着されたフックなどからなってもよい。この場合、自動販売機２００の表面のフックに前部パネル１１０や側面パネル１２０が係脱自在に装着される(図示せず)。
【符号の説明】
【００４９】
１００    販売機パネルセット
１１０    前部パネル
１１１    開口孔
１１２    貫通孔
１１３    図柄
１２０    側面パネル
１２１    貫通孔
１２２    図柄
１３０    ボルトナット
１３１    皿ビス
１３２    ウイングナット
１３３    防水ワッシャ
１４０    宣伝部材
１４１    図柄
２００    自動販売機
２１０    販売機前部
２１１    商品見本
２１２    商品選択ボタン
２１３    コイン投入部
２１４    紙幣投入部
２１５    釣銭排出部
２１６    カード認証ユニット
２１７    商品排出部
２１８    貫通孔
２２０    販売機後部
２２１    貫通孔
【図１】
2012194717.tif 000003
【図２】
2012194717.tif 000004
【図３】
2012194717.tif 000005
【図４】
2012194717.tif 000006
【図５】
2012194717.tif 000007